(57)【要約】【課題】運転者は、ハンドルリモコン３２の所定のキー３３に対して、それを押下するごとに、音楽ソースをＦＭ→ＡＭ→ＣＤ→ＭＤ→ＴＶ→ＦＭ→・・・と循環させつつ、１つずつ順番に切替えて、その１つが選択する。ユーザによっては、全音楽ソースを均一に使用せず、例えばＦＭとＣＤのみというように、偏った使い方をする場合があり、その場合には、所望の音楽ソースを選択するまでに時間を要してしまう。これを解決する。【解決手段】連続５分以上の使用について各音楽ソースの使用回数をカウントする（Ｓ４９→Ｓ６２）。カウントが３０以上になる音楽ソースが出現したら（Ｓ６３）、該最大カウント数に対する各音楽ソースのカウント数の百分率を計算する（Ｓ６５）。１０％以上の音楽ソースが２以上存在する場合には、１０％未満の音楽ソースは、キー３３の循環切替から除外する（Ｓ６５→Ｓ６６）。【選択図】図３
2009241703.tif 000002
【特許請求の範囲】
【請求項１】
所定の操作部に対するユーザ操作を検出するごとに複数の選択候補を循環切替対象として循環させつつ１つずつ順番に切替えて、その１つが選択されるようになっている循環式選択装置であって、
各選択候補に対するユーザの利用回数を計数する利用回数計数手段、
各選択候補についての利用回数に基づき各選択候補の利用度を算出する利用度算出手段、及び
利用度が所定値未満の選択候補については循環切替対象から除外する循環切替対象選定手段、
を備えることを特徴とする循環式選択装置。
【請求項２】
各選択候補に対応付けられた操作部への第１態様のユーザ操作に対して該選択候補に対する直接の選択を可能にする直接選択認容手段、及び
各選択候補に対応付けられた前記操作部に対する第２態様のユーザ操作に対して循環切替対象を初期化する前記循環切替対象選定手段、
を備えることを特徴とする請求項１記載の循環式選択装置。
【請求項３】
前記利用回数計数手段は、１回当たりの利用時間が所定値を超える利用についてのみ利用回数を計数することを特徴とする請求項１又は２記載の循環式選択装置。
【請求項４】
前記利用回数計数手段は、各選択候補に対する１回当たりの利用時間が所定値を超える利用回数を計数し、
前記循環切替対象選定手段は、１以上の所定の選択候補について利用回数の合計が所定値を超えてから循環切替対象の除外を実施することを特徴とする請求項１又は２記載の循環式選択装置。
【請求項５】
前記所定の操作部は、自動車のステアリングホィールに配備されていることを特徴とする請求項１〜４のいずれかに記載の循環式選択装置。
【請求項６】
前記選択候補は再生ソースであることを特徴とする請求項１〜５のいずれかに記載の循環式選択装置。
【請求項７】
所定の操作部に対するユーザ操作を検出するごとに複数の選択候補を循環切替対象として循環させつつ１つずつ順番に切替えて、その１つが選択されるようになっている循環式選択方法であって、
各選択候補に対するユーザの利用回数を計数する利用回数計数ステップ、
各選択候補についての利用回数に基づき各選択候補の利用度を算出する利用度算出ステップ、及び
利用度が所定値未満の選択候補については循環切替対象から除外する循環切替対象選定ステップ、
を備えることを特徴とする循環式選択方法。
【請求項８】
請求項１〜６のいずれかに記載の循環式選択装置の各手段としてコンピュータを機能させるプログラム。
【発明の詳細な説明】
【技術分野】
【０００１】
本発明は、例えば自動車のハンドルリモコン等に適用される循環式選択装置、方法及びプログラムに関するものである。
【背景技術】
【０００２】
特許文献１は、自動車のステアリングホィールに配備されてカーナビゲーション装置を遠隔操作するハンドルリモコンを開示する（特許文献１の段落０００１及び図２）。該ハンドルリモコンは、カーナビゲーション装置の「行き先」や「音楽」に係る操作キーを装備している（特許文献１の段落００１２）。
【０００３】
カーナビゲーション装置は、本来の経路案内機能の他に、ラジオやＣＤ等の再生機能を装備し、運転者が、ハンドルリモコンを使って、カーナビゲーション装置の所望の音楽ソースへ切替えて、再生することができるようにしている。例えば、ハンドルリモコンのキーを押すごとに、音楽ソースはＦＭ→ＡＭ→ＣＤ→ＭＤ→ＴＶ→ＦＭ→ＡＭ→・・・と、循環しつつ１つずつ切替わる。
【特許文献１】特開２００７−３３１４３３号公報
【発明の開示】
【発明が解決しようとする課題】
【０００４】
ユーザ（車載ＡＶ（Audio & Visual）装置では、ユーザは運転者である。）によっては、全再生ソースを平均して使用せずに、もっぱらＦＭ放送とＡＭ放送だけとか、ＦＭ放送とＣＤだけとかというように、再生ソースの使用に偏りがある場合がある。
【０００５】
従来のハンドルリモコンによる再生ソース切替では、全部の再生ソースを循環切替対象として循環させつつ１つずつ順番に切替えるようになっているので、再生ソースの使用に偏りがあるユーザにとっては、自分の好みの音楽ソースへ、不要な音楽ソースを経て切替えなければならず、ハンドルリモコンの切替にまどろっこしさや煩雑さを感じさせるものとなる。
【０００６】
本発明の目的は、ユーザが各選択候補を均一的に利用せず、偏って利用する場合にも、ユーザにまどろっこしさや煩雑さを感じさせない循環式選択装置、方法及びプログラムを提供することである。
【課題を解決するための手段】
【０００７】
本発明によれば、各選択候補についての利用度を調べる。一般的には、各選択候補についてのユーザの利用回数を計数し、それに基づき利用度を算出する。そして、利用度の低い選択候補は、循環切替対象から除外して、適切な利用度がある選択候補のみを循環切替対象に選定して、循環切替を実施する。
【０００８】
本発明の循環式選択装置は、所定の操作部に対するユーザ操作を検出するごとに複数の選択候補を循環切替対象として循環させつつ１つずつ順番に切替えて、その１つが選択されるようになっており、次のものを備えている。
各選択候補に対するユーザの利用回数を計数する利用回数計数手段、
各選択候補についての利用回数に基づき各選択候補の利用度を算出する利用度算出手段、及び
利用度が所定値未満の選択候補については循環切替対象から除外する循環切替対象選定手段。
【０００９】
本発明の循環式選択方法は、所定の操作部に対するユーザ操作を検出するごとに複数の選択候補を循環切替対象として循環させつつ１つずつ順番に切替えて、その１つが選択されるようになっており、次のステップを備えている。
各選択候補に対するユーザの利用回数を計数する利用回数計数ステップ、
各選択候補についての利用回数に基づき各選択候補の利用度を算出する利用度算出ステップ、及び
利用度が所定値未満の選択候補については循環切替対象から除外する循環切替対象選定ステップ。
【００１０】
本発明のプログラムは、前述の循環式選択装置の各手段としてコンピュータを機能させる。
【発明の効果】
【００１１】
本発明によれば、各選択候補の利用度に基づき利用度が所定値に達しない選択候補は循環切替対象から除外して、残った循環切替対象についてのみ循環しつつ１つずつ順番に切替えて、その１つを選択するようになっているので、選択候補の利用に偏りがあるユーザに対しても、煩雑さを感じさせない能率的な選択を行わせることができる。
【発明を実施するための最良の形態】
【００１２】
図１はカーナビゲーション装置１０の模式図である。カーナビゲーション装置１０は、ＧＰＳモジュール１１、ＶＩＣＳ（Vehicle Information and Communication System）モジュール１２及びハードディスク装置１４を備えている。ＧＰＳモジュール１１は、ＧＰＳ衛星からの電波に基づき自車位置を検出する。ＶＩＣＳモジュール１２は、ＦＭ多重放送等から道路渋滞情報を受信する。ハードディスク装置１４は、地図データベース１５を含むとともに、ＣＤ等からダビングした楽曲データ等を適宜書き込み及び読み出し自在になっている。
【００１３】
カーナビゲーション装置１０は、さらに、ＴＶチューナ１６、ＦＭチューナ１７、ＡＭチューナ１８、ＣＤ／ＤＶＤドライブ１９及びＭＤドライブ２０を備えている。これらＴＶチューナ１６、ＦＭチューナ１７、ＡＭチューナ１８、ＣＤ／ＤＶＤドライブ１９及びＭＤドライブ２０の再生信号は処理及び制御装置２１へ送られる。ＴＶチューナ１６は、ＶＨＦやＵＨＦのテレビ放送電波に係るビデオ及びオーディオ信号を出力する。ＦＭチューナ１７及びＡＭチューナ１８はそれぞれ選局したＦＭ放送及びＡＭ放送のオーディオ信号を出力する。ＣＤ／ＤＶＤドライブ１９は、音楽や映画のＣＤやＤＶＤを適宜、セット自在になっており、それらの再生信号を出力する。ＭＤドライブ２０は、ＭＤをセット自在になっており、そのオーディオ信号を出力する。
【００１４】
処理及び制御装置２１は、ＣＰＵを含み、ＧＰＳモジュール１１、ＶＩＣＳモジュール１２、ハードディスク装置１４、ＴＶチューナ１６、ＦＭチューナ１７、ＡＭチューナ１８、ＣＤ／ＤＶＤドライブ１９、ＭＤドライブ２０及び各種センサ（例：車速センサ）２４からのデータ及び信号を受け取り、各種の処理を実行する。画像生成器２２は、処理及び制御装置２１から入力されるデータに基づき画像表示信号を生成して、モニタ２３に出力する。Ｄ／Ａ変換器２５は、処理及び制御装置２１からデジタルオーディオ信号を受け、それをアナログオーディオ信号へ変換して、スピーカ２６へ出力する。
【００１５】
図２は運転席のステアリングホィール３０の正面図である。ハンドルリモコン３２は、ステアリングホィール３０のスポーク部３１に配置され、複数のキー３３を含む、該複数のキー３３の内の１つは、ＴＶチューナ１６、ＦＭチューナ１７、ＡＭチューナ１８、ＣＤ／ＤＶＤドライブ１９及びＭＤドライブ２０の複数の再生ソース（図３及び図４のフローチャートでは「音楽ソース」と呼ぶ。）機器から１つを選択する再生ソース選択キーになっている。該再生ソース選択キーが運転者により押下されるごとに、再生ソースが循環して１つずつ順番に切替わり、切替わり先の再生ソースが選択されるようになっている。
【００１６】
図３及び図４は音楽ソース切替方法４０のフローチャートである。音楽ソース切替方法４０は、図３及び図４に分割して示しているが、図３及び図４は、それらのＡ１〜Ａ６により相互に繋がっている。なお、Ｓ８３は図３及び図４において重複して示している。音楽ソース切替方法４０の実行主体は処理及び制御装置２１であり、処理及び制御装置２１は、ハンドルリモコン３２からのユーザ操作検知信号に基づき該音楽ソース切替方法４０を実行する。
【００１７】
Ｓ４１から説明する。Ｓ４１では、選択した音楽ソースの再生を開始する。音楽ソースとは、該カーナビゲーション装置１０の場合、ＦＭ、ＡＭ、ＣＤ、ＭＤ及びＴＶを指す。音楽ソースの再生は、Ｓ４６で後述するように、ハンドルリモコン３２の音楽ソース選択キーだけでなく、カーナビゲーション装置１０本体の各音楽ソースの何らかの操作キーをユーザが操作することによって直接選択することができる。
【００１８】
Ｓ４２では、選択した音楽ソースを認識する。Ｓ４３では、再生時間測定用タイマーを始動する。Ｓ４４では、車両のＡＣＣ（アクセサリー）電源がオフにされたり、オーディオがオフ（カーナビゲーション装置１０の電源オフ）にされたりして、音楽が再生停止されたか否かを判定し、判定が正であれば、Ｓ４５へ進み、否であれば、Ｓ４６へ進む。Ｓ４５では、再生時間測定用タイマーを一時停止する。
【００１９】
Ｓ４６では、カーナビゲーション装置１０の本体のいずれかの音楽ソースのスイッチを運転者が短押ししたか否かを判定し、判定が正であれば、Ｓ７０へ進み、否であれば、Ｓ４７へ進む。なお、運転者が、カーナビゲーション装置１０の本体のいずれかの音楽ソースのスイッチを短押しすることにより、該音楽ソースが直接、選択される。
【００２０】
Ｓ４７では、カーナビゲーション装置１０の本体のいずれかの音楽ソースのスイッチを運転者が長押ししたか否かを判定し、判定が正であれば、Ｓ７２へ進み、否であれば、Ｓ４８へ進む。なお、運転者が、カーナビゲーション装置１０の本体のいずれかの音楽ソースに係るスイッチを長押しすることにより、Ｓ７２で後述するように、送り順メモリーにおける送り順が初期化される。
【００２１】
Ｓ４８では、運転者がハンドルリモコン３２のソース切替スイッチ（図２の所定のキー３３）で音楽ソースを前述の循環切替方式で選択する。Ｓ４９では、再生時間測定タイマーを停止し、その測定時間（音楽ソースについて連続使用時間）を調べる。該測定時間が５分未満であるならば、送り順メモリーにおける送り順の変更は不要と判断して、Ｓ５５へ進み、５分以上であれば、Ｓ６２へ進む。
【００２２】
Ｓ５５では、音楽ソースの送り順メモリーの送り順に従い、選択する音楽ソースを、現在、ユーザが聴いている音楽ソースから次の音楽ソースへ送る。例えば、送り順がＦＭ→ＡＭ→ＣＤ→ＭＤ→ＴＶであって、現在、ユーザが聴いている音楽ソースがＣＤである場合には、ユーザはハンドルリモコン３２のキー３３を２回押すことにより（ＣＤ→ＭＤ→ＴＶ）、音楽ソースはＴＶへ切替わる。Ｓ５６では、該次の音楽ソースの再生を開始する。Ｓ５６の後、Ｓ４２へ戻る。
【００２３】
Ｓ６２では、認識している音楽ソースに係るカウントを１、インクリメントする。Ｓ６３では、カウント数の計算により、カウントが３０以上となったものが発生したが否かを判定し、判定が正であれば、送り順メモリーにおける送り順の変更要と判断して、Ｓ６４へ進み、否であれば、送り順メモリーにおける送り順の変更不要と判断して、Ｓ５５へ進む。例えば、運転者が毎日、ＣＤを約４０分、ＴＶを約３５分視聴すると仮定するならば、３０日目のＣＤ選択の際には、ＣＤ及びＴＶの各カウント数はそれぞれ３０，２９に達する。
【００２４】
Ｓ６４では、カウント数が最高である音楽ソースのカウント数に対する各音楽ソースのカウント数の割合を計算する。カウント数が最高である音楽ソースの割合は１００％になる。Ｓ６５では、割合が１０％以上である音楽ソースが２以上あれば、割合が１０％未満である音楽ソースを送り順メモリーの送り順の中から削除する送り順の再編集を行う。
【００２５】
Ｓ６５における割合計算を具体的に説明する。ＦＭ、ＡＭ、ＣＤ、ＭＤ及びＴＶのカウント数をそれぞれ０，０，３０，０，２９と仮定する。この場合、ＦＭ、ＡＭ、ＣＤ、ＭＤ及びＴＶの割合はそれぞれ０％，０％，１００％，０％，９７％となる。したがって、ＣＤ及びＴＶの２つが送り順メモリーの送り順対象に残り、ＦＭ，ＡＭ，ＭＤは送り順メモリーの送り順対象から削除される。
【００２６】
Ｓ６５において、割合が１０％以上である音楽ソースが２未満であると判断された場合には、送り順メモリーにおける送り順の変更は不要と判断して、Ｓ６５からＳ５５へ進む。また、割合が１０％以上である音楽ソースが２以上であると判断された場合には、送り順メモリーにおける送り順の変更要と判断して、Ｓ６５からＳ６６へ進む。
【００２７】
Ｓ６６では、送り順メモリーの送り順が再編集される。例えば、割合がＣＤ＝１００％、ＴＶ＝９７％、その他のＦＭ、ＡＭ及びＭＤ＜１０％であるとき、送り順メモリーの新規送り順はＣＤ→ＴＶ→ＣＤ→・・・と、ＣＤとＴＶとの交互の繰り返しになる。Ｓ６７では、Ｓ６６で再編集した送り順に基づき音楽ソース送り順メモリーの送り順について書き換え処理を行う。Ｓ６７の書き換え処理はＳ８３において送り順メモリーに状態に反映される。
【００２８】
図４においてＳ７０，Ｓ７１，Ｓ７８〜Ｓ８２は、それぞれ図３のＳ４９，Ｓ６２〜Ｓ６７と同一の処理を行うので、説明を省略する。Ｓ８０において、割合が１０％以上である音楽ソースが２未満であると判断された場合には、Ｓ４１へ進む。
【００２９】
Ｓ７２では、送り順メモリーの送り順を初期化して（送り順：ＦＭ→ＡＭ→ＣＤ→ＭＤ→ＴＶ→ＦＭ→・・・）、Ｓ４１へ進む。なお、Ｓ７２における送り順の初期化は、Ｓ８３で音楽ソース送り順メモリーの状態に反映される。
【００３０】
Ｓ８３では音楽ソース送り順メモリー状態、すなわち送り順は、Ｓ６３，Ｓ６５，Ｓ７２，Ｓ８２の各処理を反映したものとなる。すなわち、送り順がＳ７２で初期化されていれば、ＦＭ→ＡＭ→ＣＤ→ＭＤ→ＴＶ→ＦＭ→・・・の順番に繰り返すことになる。また、送り順がＳ６７，Ｓ８２で例に示すように書き換えられているならば、書き換えの送り順ＣＤ→ＴＶ→ＣＤ→・・・となる。なお、Ｓ６７は、ハンドルリモコン３２（図２）により音楽ソースを切替えられたことに伴う実行であるので、Ｓ８３への音楽ソース送り順メモリー状態関与と共に、Ｓ５６へ進む。また、Ｓ８２は、カーナビゲーション本体側スイッチの短押しによる音楽ソースの直接選択に伴う実行であるので、Ｓ８３への音楽ソース送り順メモリー状態関与と共に、Ｓ５６を経てＳ４２へ進む。
【００３１】
図５は循環式選択装置９０のブロック図である。循環式選択装置９０の具体例は、音楽ソース切替方法４０（図３及び図４）を所定のプログラムで実行するカーナビゲーション装置１０である。循環式選択装置９０は車載装置に限定されない。循環式選択装置９０における選択候補は、ＣＤやＦＭ放送等の音楽ソースに限定されない。選択候補は、例えば複数のラジオ放送局の中から１つを選択する場合の各放送局であったり、無線機において１つの送受信チャネルを選択する場合の各送受信チャネルであったりしてよい。
【００３２】
循環式選択装置９０は、所定の操作部に対するユーザ操作を検出するごとに複数の選択候補を循環切替対象として循環させつつ１つずつ順番に切替えて、その１つが選択されるようになっている。循環式選択装置９０は、利用回数計数手段９１、利用度算出手段９２及び循環対象選定手段９３を備える。循環式選択装置９０は直接選択認容手段９６を備えることができる。
【００３３】
利用回数計数手段９１は、各選択候補に対するユーザの利用回数を計数する。利用度算出手段９２は、各選択候補についての利用回数に基づき各選択候補の利用度を算出する。循環対象選定手段９３は、利用度が所定値未満の選択候補については循環切替対象から除外する。
【００３４】
所定の操作部は、例えば自動車のステアリングホィールに配備されている。この具体例はハンドルリモコン３２（図２）である。利用回数計数手段９１が計数する利用回数は、直近の所定期間（例：３月）、所定の時間帯（例：昼間）、所定の曜日（例：休日）、所定の季節（例：冬季）、所定の地域（例：自宅から所定距離以内）の利用に限定することも可能である。
【００３５】
こうして、循環式選択装置９０では、ユーザがあまり利用していない選択候補が、循環切替対象から除外されて、利用度の高い循環切替対象が残るので、ユーザは切替の場合に所望の選択候補に迅速に切替えることができるようになる。
【００３６】
好ましくは、直接選択認容手段９６は、各選択候補に対応付けられた操作部への第１態様のユーザ操作に対して該選択候補に対する直接の選択を可能にする。第１態様のユーザ操作の具体例は音楽ソース切替方法４０（図３）のＳ４６の短押しである。したがって、循環切替対象から除外された選択候補については、該選択候補に対応付けられた操作部への第１態様のユーザ操作により選択が確保される。
【００３７】
好ましくは、循環対象選定手段９３は、各選択候補に対応付けられた操作部に対する第２態様のユーザ操作に対して循環切替対象を初期化する。第２態様のユーザ操作の具体例は音楽ソース切替方法４０（図３）のＳ４７の長押しである。したがって、所定の選択候補について循環切替対象から除外されている場合に、ユーザは、該選択候補に対応付けられた操作部への第２態様のユーザ操作に対して、該選択候補を循環切替対象に再度取り込むことができる。この場合、初期化に代えて、第２態様のユーザ操作を行った選択候補のみについて、循環切替対象に復帰させるようにしてもよい。なお、ハンドルリモコン３２の実施例では、ユーザがキー３３を短押しに代えて長押しした場合に、循環切替対象を初期化するようにしてもよい。
【００３８】
また、その他にも、所定の日数や時間を超えたり、利用回数に上限値を設けておき、いずれかの音楽ソースの利用回数が上限値を超えたりした場合は初期化するようにしてもよい。
【００３９】
好ましくは、利用回数計数手段９１は、１回当たりの利用時間が所定値を超える利用についてのみ利用回数を計数する。この具体例は、音楽ソース切替方法４０のＳ４９→Ｓ６２（図３）及びＳ７０→Ｓ７１（図４）である。それらでは、所定値は５分に設定してある。ユーザは、単なる試しや切替の手間取り等により希望外の選択候補を選択してしまう場合があり、このような場合を排除して、実質的な利用の回数のみに基づく利用度を算出することができる。
【００４０】
好ましくは、利用回数計数手段９１は、各選択候補に対する１回当たりの利用時間が所定値を超える利用回数を計数するとともに、循環対象選定手段９３は、１以上の所定の選択候補について利用回数の合計が所定値を超えてから循環切替対象の除外を実施する。利用回数が少ない場合には、算出した利用度の信頼性は低いので、利用回数が十分大となって、算出する利用度の信頼性が高まってから、循環対象選定手段９３による所定の循環切替対象の除外を実施することにより、不適切な除外が実施されることを防止することができる。
【００４１】
なお、循環式選択装置９０の具体例であるカーナビゲーション装置１０における音楽ソース切替方法４０のＳ６３，Ｓ７８では、最大利用回数が３０回以上になる音楽ソースが出現すると、割合を計算するようにしているが、循環式選択装置９０では、利用回数が上位所定番目までの選択候補の利用回数の合計が所定値以上になったり、全部の選択候補の利用回数の合計が所定値以上になったりしてから、割合を計算するようにしてもよい。
【００４２】
循環式選択装置９０に予め選択候補数を設定しておき、利用回数が所定値を超えてから循環切替対象の除外を実施してもよい。例えば、選択候補数が３と設定されていたら、利用回数が３０を超えたものの中で上位３番目までの選択候補を循環させるようにしてもよい。
【００４３】
図６は循環式選択方法１００のフローチャートである。循環式選択方法１００の具体例は音楽ソース切替方法４０（図３及び図４）である。循環式選択方法１００では、所定の操作部に対するユーザ操作を検出するごとに複数の選択候補を循環切替対象として循環させつつ１つずつ順番に切替えて、その１つが選択されるようになっている。
【００４４】
Ｓ１０１では、各選択候補に対するユーザの利用回数を計数する。Ｓ１０２では、各選択候補についての利用回数に基づき各選択候補の利用度を算出する。Ｓ１０３では、利用度が所定値未満の選択候補については循環切替対象から除外する。
【００４５】
Ｓ１０１〜Ｓ１０３の処理は、循環式選択装置９０（図５）の利用回数計数手段９１〜循環対象選定手段９３の機能にそれぞれ対応している。したがって、利用回数計数手段９１〜循環対象選定手段９３の機能について述べた具体的態様はＳ１０１〜Ｓ１０３の処理についての具体的態様としても適用可能である。
【００４６】
循環式選択方法１００では、また、循環式選択装置９０の直接選択認容手段９６の機能に対応する処理を実行するステップを適宜、追加可能である。該ステップは、循環式選択方法１００の任意の箇所に挿入することができる。
【００４７】
本発明を適用したプログラムは、コンピュータを循環式選択装置９０の各手段として機能させる。本発明を適用した別のプログラムは、循環式選択方法１００の各ステップをコンピュータに実行させる。
【００４８】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４９】
【図１】カーナビゲーション装置の模式図である。
【図２】運転席のステアリングホィールの正面図である。
【図３】音楽ソース切替方法のフローチャートの第１の部分である。
【図４】音楽ソース切替方法のフローチャートの第２の部分である。
【図５】循環式選択装置のブロック図である。
【図６】循環式選択方法のフローチャートである。
【符号の説明】
【００５０】
９０：循環式選択装置、９１：利用回数計数手段、９２：利用度算出手段、９３：循環対象選定手段、９６：直接選択認容手段、１００：循環式選択方法。
【図１】
2009241703.tif 000003
【図２】
2009241703.tif 000004
【図３】
2009241703.tif 000005
【図４】
2009241703.tif 000006
【図５】
2009241703.tif 000007
【図６】
2009241703.tif 000008